(57)【特許請求の範囲】
【請求項１】
安全ベルト巻取り機構のリールへのベルトの取付け構造であって、 シャフトと、 該シャフトに対して同軸に配置されたリールと、 該リールに取付けられ、端部に閉ループを形成されたベルトとからなり、 ベルト伸長方向を横断する方向に延びる固定ピンが前記ループ内に位置し、該固定ピンは前記シャフト以外の部材に形成され、
前記ベルトが、前記シャフトをほぼ完全に取り巻くことを特徴とするベルト取付け構造。
【請求項２】
ベルトは、ループの外側およびループ以外の部分の一部をシャフトに巻き掛けられることを特徴とする請求項１記載のベルト取付け構造。」
【請求項３】
切欠きは、リールの径方向に開口し、ループ内に位置付けられた固定ピンの脱出を阻止すべく、リールの外周方向にテーパを付されていることを特徴とする、請求項１記載のベルト取付け構造。
【請求項４】
固定ピンはリールに一体的に連結され、固定ピンは２つの離れたスロットによりリールに形成されたことを特徴とする、請求項１、２、および４のいずれか１項記載のベルト取付け構造。
【請求項５】
シャフトはループ内に位置することを特徴とする請求項１記載のベルト取付け構造。
【請求項６】
前記ベルトおよび前記ループの少なくとも一方は、前記シャフトと前記リールとの間に少なくとも部分的に間隙を持って配置されたことを特徴とする請求項１ないし５のいずれか１項記載のベルト取付け構造。
【発明の詳細な説明】
【０００１】
【発明の属する技術分野】
本発明は、安全ベルト巻取り機構のベルトのリールへの取付け構造に関し、シャフトと、シャフトと同軸に配置されたリールと、リールに固定され、端部に閉ループを形成されたベルトとから構成される。
【０００２】
【従来の技術】
この種のベルト取付け構造は、米国特許第４，３８５，７３６号明細書から公知である。この公知の構造では、ベルトのループは、シャフトに押し被され、ループをシャフトに押し付けるクランプ部材がこの構造に取付けられている。ベルトはクランプ部材のスロットを通し、更にリールのスロットを通して外側に導き出され、リールに巻付けられている。
【０００３】
更なるベルト取付け構造が米国特許第４，１１９，２８１号明細書から公知である。このベルト取付け構造では、別体のシャフトは設けられていない。この場合も、ベルトをリールに強固に固定する作用をするクランプ要素がベルトのリールへの固定手段の役割を果たす。
【０００４】
最後に、ベルト取付け構造がヨーロッパ特許第０６２０１４１号明細書から公知であり、これでは、ベルトは圧接力によりリールに保持されている。
【０００５】
【発明が解決しようとする課題】
本発明の課題ないし目的とするところは、上述の種類のベルト固定装置であって、有効にベルトを保持し、有利なコストで製造が可能で、組立てが簡単なベルト取付け構造を提供することを目的とする。
【０００６】
【課題を解決するための手段】
上記の目的は、請求項１に記載の形態により達成することができ、特に、ベルトの方向を横切って延び、シャフトによって構成されるものではない固定ピンがループ内に設けられるとともに、ベルトが、前記シャフトをほぼ完全に取り巻くことにより達成される。従来技術から公知のデザインと比して、付加的な固定ピンが本発明に従い設けられ、それがシャフトに対して独立し、かつシャフトと協働してベルトの意図しない引抜きを阻止し、リールに対するベルトの意図しない相対的な空回りを阻止する。本発明の装置は、固定ピンが形状的に単純な構成要素として製造可能なことにより、有利なコストで製造可能である。同時に、ベルトの取付けのために必要な圧入等の工程を要しないことで有利なコストの組み立てが可能となる。
【０００７】
本発明の有効な実施形態は、説明と、従属請求項と、図面とに記載されている。
【０００８】
第１の有効な実施形態に従えば、ベルトはループの外側でシャフトに巻き掛けることができ、部分的ほぼ完全にシャフトを取り巻くことができる。この方法では、シャフトもまた固定要素として使用されるが、ループ内に位置付けられた固定ピンは付加的な固定要素を提供する。この実施例では、こうして高度の安全性が簡単な手段で達成される。
【０００９】
本発明の他の実施形態に従えば、固定ピンが支持される軸方向切欠きをリールに形成することができる。この切欠きは、径方向に開いたものとし、リールの外周方向にテーパを付されたものとすることができ、それによりループ内に位置する固定ピンの脱出を防止することができる。この実施形態では、それを取り巻いてループが巻かれた固定ピンが切欠きに確実かつ抜け止め状態に支持されるため、ベルトはリールに妨げなく巻付けられる。
【００１０】
本発明の一実施形態に従えば、固定ピンが別体部品として形成されているため、組み付け時にピンを外側からループ内に押し込むことを可能とすることができる。他の実施形態に従えば、固定ピンはリールに連結して一体化することもでき、それにより余分な組み付け工程をなくすことができる。この場合にも、ループを固定ピンに側方から押し込むことができるように、固定ピンはリールの２つの離れたスロットにより形成するのが有効であり、それによりベルトがリールの領域において２つのスロットに挿通されることになる。
【００１１】
更なる有効な実施形態に従えば、本発明に従って設けられる固定ピンのみならずシャフトもまたループ内に位置付けられる。この場合、２つの固定要素がベルトをリールに固定するために２重安全性を提供することになる。
【００１２】
ベルト及び／又はベルトのループは、有利にはシャフトとリールの間に間隙を保って配置される。この種の実施形態は、ベルト又はループがシャフトとリールとの間に、通常必要な更なる面倒なく、捩じれを生じさせることなく、また押し込み工程等なしで導入可能となるため、容易な組み込みを可能とすることができる。
【００１３】
【発明の実施の形態】
以下に、本発明を有効な実施形態と関連図面を参照して、純粋に例示として説明する。
【００１４】
図１に示す安全ベルト巻取り機構のベルト１４のリール１２への固定のための装置は、リール１２に対して同軸に支持されたシャフト１０を備えている。ベルト１４は、リール１２に固定されており、その端部は、閉ループ１６を形成している。そのために、ベルト端部はシーム２０で示す位置まで、それ自身の上に折り返されている。
【００１５】
図１に示す実施形態では、軸方向に延びる切欠き２２がリール１２に設けられ、切欠き２２は固定ピン１８が支持される凹部２４を有している。ベルト１４はリール１２の内側に切欠き２２を通して導入されており、切欠きは、シャフト１０の外周面の方向に開口し、かつシャフト１０をほぼ完全に取り巻いている。シャフト１０を取り巻いて通された後に、ベルト１４のループ１６は、切欠き２２内に入り、そこで固定ピン１８をループの内側に押し付け可能としている。
【００１６】
ベルト１４すなわちループ１６は、シャフト１０とリール１２の内周面との間の環状中間スペース内に、組み込みを容易にする程度の間隙を持って支持されている。切欠き２２の方向に対峙するリールのエッジ部２８，３０は丸められて、ベルトの滑らかな案内が確保されている。図１に示す装置の組み立てのために、ループ１６を設けられたベルトは、それ自身の上に一旦折り返され、それにより生じる（仮の）ループがシャフト１０周りに押し込まれる。固定ピン１８がループ１６内に挿入された後に、ベルト１４は引締め可能であり、それによって、ループ１６により取り巻かれる固定ピン１８は、切欠き２２内に引き込まれ、凹部２４に当接する。切欠き２２の幅は、この工程中に、ベルトの厚さ方向の弾性の結果、固定ピン１８が切欠き２２内に確実に引き込まれることが可能な寸法で、しかも外力の作用なしでピンが抜け出すほど長い寸法ではない。
【００１７】
図２は本発明の第２実施形態を示しており、これでは、シャフト１０’はリール１２’内に同軸に支持されている。これでもベルト１４’が設けられており、シーム２０’によるループ１６’が形成されている。
【００１８】
この実施形態では、固定ピン１８’は、リールと一体形成されており、リール１２’の外周面は２つの並行なスロット３２’，３４’を設けられている。切欠き２２’は固定ピン１８’に対して実質上１８０°離してリール１０’の外周面に設けられており、ベルト１４’は切欠き２２’を通してリールの内側に導入されている。
【００１９】
図２に示す実施形態では、ループのボリュームは図１に示す実施形態の場合よりも大きく作られており、それによりベルト１４’のループ１６’をシャフト１０’と、リール１２’に一体化された固定ピン１８’の双方の周りに押し込み可能とされている。したがって、この実施形態において、ベルトのシーム２０’はリールとシャフトの間の中間スペース内に位置するのではなく、むしろ切欠き２２’領域内にある。ベルトはこうして切欠き２２’からシャフト１０’とリール１２’の内部の間のスペースを通り、スロット３２’を通して導出され、固定ピン１８’を実質上１８０°の領域で取り巻き、次いでスロット３４’を通して案内され、シャフト１０’とリール１２’のもう一方の中間スペースでリール１２’の内部に戻り、切欠き２２’内に入る。この箇所で、ベルトの端部はシーム２０’を設けられている。
【００２０】
この実施形態では、ベルトはシャフト１０’とリール１２’の内部との間にも常にある程度のクリアランスを持つように位置付けられている。
【００２１】
図１及び図２から判るように、第１実施形態の固定ピン１８は、シャフト１０の断面領域の実質上２５％に相当する断面領域を持つ。これに対して、図２に示す実施形態の固定ピン１８’の断面領域は、シャフト１０’の断面領域と実質上同様の大きさを有する。両実施形態において、シャフトはリールと共に回転する。両実施形態において、同様の方法で、ループは閉ループとされており、すなわち、ベルトの端部は折り返され、縫い付けあるいは他の方法で止められている。
【図面の簡単な説明】
【図１】本発明のベルト取付け構造の一実施形態の断面図である。
【図２】本発明のベルト取付け構造の第２実施形態の断面図である。
【符号の説明】
１０，１０’  シャフト
１２，１２’  リール
１４，１４’  ベルト
１６，１６’  ループ
１８，１８’  固定ピン
２０，２０’  シーム
２２，２２’  切欠き
２４  凹部
２６  環状隙間
２８，３０  エッジ部分
３２’，３４’  スロット
【図１】
0003818559.tif 000002
【図２】
0003818559.tif 000003